(57)【要約】【課題】利用者の体重を測定可能なトイレ装置であって、外的環境が変化した場合でも、利用者の体重を正確に測定することができるトイレ装置を提供する。【解決手段】制御装置は、人体検知部により人体の存在が検知された第一の条件、便蓋開閉検出部により便蓋の開状態が検出された第二の条件、及び着座センサにより便座への着座が無い状態が検出された第三の条件の少なくともいずれかの条件が成立する場合には、前記荷重検出部により検出される荷重に対してゼロ点補正を実行する。【選択図】図１
2018111918.tif 000002
【特許請求の範囲】
【請求項１】
便座に着座している利用者の体重を測定するトイレ装置であって、
人体の存在を検知する人体検知部、若しくは便蓋の開閉状態を検出する便蓋開閉検出部、若しくは前記便座に対する着座の有無を検知する着座センサのいずれか一つ以上と、
前記便座と便器との間にかかる荷重を検出する荷重検出部と、
前記荷重検出部が検出した荷重に基づいて前記体重を測定する制御装置と、
を備え、
前記制御装置は、前記人体検知部により人体の存在が検知された第一の条件、前記便蓋開閉検出部により前記便蓋の開状態が検出された第二の条件、及び前記着座センサにより前記便座への着座が無い状態が検出された第三の条件の少なくともいずれかの条件が成立する場合には、前記荷重検出部により検出される荷重に対してゼロ点補正を実行すること特徴とするトイレ装置。
【請求項２】
前記便座の開閉状態を検出する便座開閉検出部をさらに備え、
前記制御装置は、前記便座開閉検出部により前記便座の閉状態が検出された第四の条件、前記第二の条件及び前記第三の条件が成立する場合には、前記ゼロ点補正を実行する請求項１に記載のトイレ装置。
【請求項３】
前記制御装置は、前記第一の条件が成立した後に、前記第二の条件、前記第三の条件及び前記第四の条件が成立すれば、前記ゼロ点補正を実行する請求項２に記載のトイレ装置。
【請求項４】
前記制御装置による前記ゼロ点補正が実行されたことに応じて、所定の報知を行う報知部をさらに備える請求項１から請求項３のいずれか一項に記載のトイレ装置。
【発明の詳細な説明】
【技術分野】
【０００１】
本発明は、トイレ装置に関する。
【背景技術】
【０００２】
従来、便座内に設けた複数の圧力センサを設け、利用者が便座上に着座したときに圧力センサが測定した圧力値に応じて、その利用者の体重を測定する体重測定機能付き便座装置が提案されている（特許文献１参照）。
【先行技術文献】
【特許文献】
【０００３】
【特許文献１】特開平９−１１９８５９号公報
【発明の概要】
【発明が解決しようとする課題】
【０００４】
ここで、圧力センサは、温度や湿度などの外的環境の変化によって出力特性が変化する場合がある。しかしながら、特許文献１に記載の便座装置は、外的環境の変化により出力特性が変化することについては、何ら考慮されていない。したがって、外的環境の変化によって圧力センサから出力される圧力値が変化した場合には、正確に利用者の体重を測定できない場合がある。
【０００５】
本発明は、このような事情に鑑みてなされたもので、その目的は、利用者の体重を測定可能なトイレ装置であって、外的環境が変化した場合でも、利用者の体重を正確に測定することができるトイレ装置を提供することである。
【課題を解決するための手段】
【０００６】
本発明の一態様は、便座に着座している利用者の体重を測定するトイレ装置であって、人体の存在を検知する人体検知部、若しくは便蓋の開閉状態を検出する便蓋開閉検出部、若しくは前記便座に対する着座の有無を検知する着座センサのいずれか一つ以上と、前記便座と便器との間にかかる荷重を検出する荷重検出部と、前記荷重検出部が検出した荷重に基づいて前記体重を測定する制御装置と、を備え、前記制御装置は、前記人体検知部により人体の存在が検知された第一の条件、前記便蓋開閉検出部により前記便蓋の開状態が検出された第二の条件、及び前記着座センサにより前記便座への着座が無い状態が検出された第三の条件の少なくともいずれかの条件が成立する場合には、前記荷重検出部により検出される荷重に対してゼロ点補正を実行すること特徴とするトイレ装置である。
【０００７】
本発明の一態様は、上述のトイレ装置であって、前記便座の開閉状態を検出する便座開閉検出部をさらに備え、前記制御装置は、前記便座開閉検出部により前記便座の閉状態が検出された第四の条件、前記第二の条件及び前記第三の条件が成立する場合には、前記ゼロ点補正を実行する。
【０００８】
本発明の一態様は、上述のトイレ装置であって、前記制御装置は、前記第一の条件が成立した後に、前記第二の条件、前記第三の条件及び前記第四の条件が成立すれば、前記ゼロ点補正を実行する。
【０００９】
本発明の一態様は、上述のトイレ装置であって、前記制御装置による前記ゼロ点補正が実行されたことに応じて、所定の報知を行う報知部をさらに備える。
【発明の効果】
【００１０】
以上説明したように、本発明によれば、利用者の体重を測定可能なトイレ装置であって、外的環境が変化した場合でも、利用者の体重を正確に測定することができるトイレ装置を提供することができる。
【図面の簡単な説明】
【００１１】
【図１】本発明の一実施形態に係る測定装置を備えたトイレ装置の斜視図である。
【図２】本発明の一実施形態に係る便座装置３を横方向（水平方向）から見た図である。
【図３】本発明の一実施形態に係る測定装置を上方から見た斜視図である。
【図４】本発明の一実施形態に係る測定装置を下方から見た斜視図である。
【図５】本発明の一実施形態に係る測定装置から上カバーが取り外され、尿センサーが収容位置に配置されている状態を上方から見た斜視図である。
【図６】本発明の一実施形態に係る測定装置から上カバーが取り外され、尿センサーが測定位置に配置されている状態を上方から見た斜視図である。
【図７】本発明の一実施形態に係る便座ボックス６の概略構成の一例を示す図である。
【図８】発明の一実施形態に係る制御装置６８におけるゼロ点補正を行う動作の流れを示す図である。
【図９】本発明の一実施形態に係るゼロ点補正を行う場合のタイミングチャート図である。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。なお、図面において、同一又は類似の部分には同一の符号を付して、重複する説明を省く場合がある。また、図面における要素の形状及び大きさなどはより明確な説明のために誇張されることがある。
【００１３】
明細書の全体において、ある部分がある構成要素を「含む」、「有する」や「備える」とする時、これは、特に反対の記載がない限り、他の構成要素を除くものではなく、他の構成要素をさらに含むことができるということを意味する。
【００１４】
以下、本発明の一実施形態に係るトイレ装置を、図面を用いて説明する。
図１は、本発明の一実施形態に係るトイレ装置の斜視図である。
図１に示すように、トイレ装置１００は、便器１、便座装置３及び浄水タンク７を備える。図２は、本発明の一実施形態に係る便座装置３を横方向（水平方向）から見た図である。
便座装置３は、トイレルーム内に設けられた便器１上に設置されている。便座装置３は、測定装置２、便座ボックス６、便座８及び便蓋９を備えている。
ここで、便座８に着座する利用者の顔が向く方向を前方とし、便座８に着座する利用者の背中が向く方向を後方とする。また、前後方向と直交する水平方向であってトイレ装置１００の幅方向を左右方向とする。
【００１５】
図３は、測定装置２を上方から見た斜視図である。図４は、測定装置２を下方から見た斜視図である。図５は、測定装置２から上カバー２６が取り外され、尿センサー３０が収容位置に配置されている状態を上方から見た斜視図である。図６は、測定装置２から上カバー２６が取り外され、尿センサー３０が測定位置に配置されている状態を上方から見た斜視図である。
【００１６】
測定装置２は、便器１と便座８との間に介装されている。換言すると、測定装置２は便器１の上面に固定され、測定装置２の上に便座８が配置されている。
図３から図６に示すように、測定装置２は、平面視略Ｏ字状をなす筐体２０と、筐体２０内部に配置された尿センサー３０、保存液タンク（タンク）４１、校正液タンク４６（タンク）、尿測定制御部５１、荷重検出部５３及び体脂肪測定体５５を備えている。なお、保存液タンク４１、校正液タンク４６及び尿測定制御部５１は、便座ボックス６に備えられてもよい。
【００１７】
筐体２０は、便器１に固定される下カバー２１と、下カバー２１の上方に設けられる上カバー２６と、を有している。下カバー２１及び上カバー２６には、それぞれ平面視略楕円形の開口２０ｈが設けられている。
【００１８】
図４及び図５に示すように、下カバー２１には、上下方向に貫通する複数の取付孔２２が形成されている。取付孔２２には、不図示の螺子や取付具が挿通され、便器１に螺合されている。
【００１９】
図５に示すように、下カバー２１の上面には、尿センサー３０、保存液タンク４１、校正液タンク４６、尿測定制御部５１及び荷重検出部５３が設けられている。上カバー２６は、尿センサー３０、保存液タンク４１、校正液タンク４６、尿測定制御部５１及び荷重検出部５３を覆うように設けられている。換言すると、尿センサー３０、保存液タンク４１、校正液タンク４６、尿測定制御部５１及び荷重検出部５３は、下カバー２１と上カバー２６との間に収容されている。図３に示すように上カバー２６の上面２６ｕは、平滑面で形成されている。
【００２０】
図５に示すように、尿センサー３０は、下カバー２１の左右両側にそれぞれ設けられている。各尿センサー３０は、下カバー２１に回動可能に固定された基部３１と、基部３１から延び中空状に形成されたアーム部３２と、アーム部３２の内部に配置された尿測定部３３と、を有している。
【００２１】
尿測定部３３の先端は、アーム部３２の先端よりも突出している。尿測定部３３には、尿を電気分解可能な電極（不図示）が設けられている。
【００２２】
下カバー２１の開口２０ｈの縁には、尿センサー３０が配置される位置に対応して、尿センサーカバー２３が設けられている。
【００２３】
尿センサー３０及び尿センサーカバー２３は、不図示の駆動モータに接続されている。尿測定制御部５１からの信号に基づいて駆動モータが駆動することにより、尿センサー３０及び尿センサーカバー２３は、図５に示すように下カバー２１の上面に配置される位置（収容位置）から、図６に示すように先端側が下カバー２１の開口２０ｈに突出した位置（測定位置）まで、基部３１を中心に回動する。
本実施形態では、一対の尿センサー３０のうち右側の尿センサー（尿糖測定用センサー）３０Ａは尿糖の測定が可能であり、左側の尿センサー（尿塩分測定用センサー）３０Ｂは尿塩分の測定が可能である。
【００２４】
保存液タンク４１は、下カバー２１の右側に設けられている。保存液タンク４１には、尿糖測定用センサー３０Ａの電流や電圧を安定させるための保存液（液体）が貯留されている。保存液タンク４１は、ポンプ４３とチューブ（不図示）で接続されている。ポンプ４３は、尿糖測定用センサー３０Ａとチューブ（不図示）で接続されている。尿測定制御部５１からの信号に基づいて、ポンプ４３が駆動し、保存液タンク４１内の保存液がチューブを流通して、尿糖測定用センサー３０Ａに供給される。これにより、尿糖測定用センサー３０Ａの先端部は、不図示の容器内で保存液に浸されている。
【００２５】
校正液タンク４６は、下カバー２１の左右両側に設けられている。右側の校正液タンク４６Ａには、尿糖測定用センサー３０Ａの校正を行う校正液（液体）が貯留されている。左側の校正液タンク４６Ｂには、尿塩分測定用センサー３０Ｂの校正を行う校正液（液体）が貯留されている。校正液タンク４６Ａは、ポンプ４８とチューブ（不図示）で接続されている。ポンプ４８は、尿糖測定用センサー３０Ａとチューブ（不図示）で接続されている。尿測定制御部５１からの信号に基づいて、ポンプ４８が駆動し、校正液タンク４６Ａ内の校正液がチューブを流通して、所定頻度で尿糖測定用センサー３０Ａに供給される。これにより、尿糖測定用センサー３０Ａには、不図示の容器内で校正液が滴下される。また、校正液タンク４６Ｂは、ポンプ４９とチューブ（不図示）で接続されている。ポンプ４９は、尿塩分測定用センサー３０Ｂとチューブ（不図示）で接続されている。尿測定制御部５１からの信号に基づいて、ポンプ４９が駆動し、校正液タンク４６Ｂ内の校正液がチューブを流通して、所定頻度で尿塩分測定用センサー３０Ｂに供給される。これにより、尿塩分測定用センサー３０Ｂには、不図示の容器内で校正液が滴下される。
【００２６】
保存液タンク４１及び校正液タンク４６には、それぞれ開閉可能な蓋４２が設けられている。利用者は、蓋４２を開閉して、保存液や校正液等を補充することができる。
【００２７】
尿測定制御部５１は、下カバー２１の後部に設けられている。尿測定制御部５１は、ポンプ４３，４８，４９を駆動させる信号を出力したり、尿センサー３０を収容位置と測定位置との間で回動させる駆動モータへ信号を出力したり、尿センサー３０で電気分解した結果に基づいて成分の量を演算したりする。また、尿測定制御部５１は、不図示の表示部に、尿センサー３０で測定した測定値を出力する信号を送信する機能を有していてもよい。
【００２８】
荷重検出部５３は、便器１と便座８との間にかかる荷重を検出する、例えば、ロードセルである。
例えば、荷重検出部５３は、便器１と便座８との間に設けられている。具体的には、荷重検出部５３は、下カバー２１に複数設けられている。本実施形態では、４箇所に設けられている。図３に示すように、上カバー２６には、荷重検出部５３と対応する位置にロードセルカバー２７が設けられている。
荷重検出部５３は、便座ボックス６に電気的に接続されている。荷重検出部５３は、検出した荷重を荷重信号として便座ボックス６に出力する。すなわち、利用者が便座８に着座することで荷重検出部５３に作用した荷重は、それぞれ荷重検出部５３で電気信号に変換されて荷重信号として便座ボックス６に送信される。
【００２９】
体脂肪測定体５５は、筐体２０の左右両側に設けられている。体脂肪測定体５５は、下カバー２１に設けられた取付部２４に回動自在に固定される基部５６と、基部５６から延び把持可能な把持部５７と、を有している。体脂肪測定体５５は、利用者が把持部５７を把持することで、インピーダンス法等により、身体に微量の電流を流して抵抗を測定することにより、体脂肪率等を測定するものである。把持部５７は、図５に示す先端が前方を向いた位置（収容位置）から平面上を９０°回動して、先端が側方を向けた位置（測定位置）まで回動可能である。
【００３０】
便座ボックス６は、便器１の後部に設置されている。便座ボックス６は、測定装置２の上方に配置されている。なお、便座ボックス６は、測定装置２の後方に配置されてもよい。また、便座ボックス６と測定装置２とは、一体に構成される形態であってもよい。
便蓋９及び便座８は、便座ボックス６に上下方向回動可能に支持されている。
図７は、本発明の一実施形態に係る便座ボックス６の概略構成の一例を示す図である。
便座ボックス６は、人体検知部６１、便蓋開閉検出部６２、便座開閉検出部６３、着座センサ６４、無線通信部６５、便蓋開閉駆動装置６６、制御装置６８及び報知部６９を備える。
【００３１】
人体検知部６１は、トイレルーム内の人体の存在を検知する。例えば、人体検知部６１は、便器１前方の人体を検知する。人体検知部６１は、便器１前方の人体を検知した場合に、便器１前方の人体を検知したことを示す検知信号を制御装置６８に出力する。なお、人体検知部６１は、便座ボックス６の上面前縁部に設けられてもよいし、便座ボックス６の前面の左右方向における中央の下部に設けられてもよい。
【００３２】
便蓋開閉検出部６２は、便蓋９の開閉状態を検出する。便蓋開閉検出部６２は、便蓋９の開状態を検出した場合には、便蓋９が開状態であることを示す便蓋開信号を制御装置６８に出力する。便蓋開閉検出部６２は、便蓋９の閉状態を検出した場合には、便蓋９が閉状態であることを示す便蓋閉信号を制御装置６８に供給する。例えば、便蓋開閉検出部６２としては、ホールＩＣと磁石との組み合わせ、またはマイクロスイッチなどが用いられる。なお、便蓋開閉検出部６２は、便蓋閉信号を出力せずに、便蓋９の開状態を検出した場合にのみ便蓋開信号を制御装置６８に供給してもよい。また、便蓋開閉検出部６２は、便蓋９が第一の角度以上で開状態と判定し、便蓋９が第一の角度未満で閉状態と判定してもよい。
【００３３】
便座開閉検出部６３は、便座８の開閉状態を検出する。便座開閉検出部６３は、便座８の開状態を検出した場合には、便座８が開状態であることを示す便座開信号を制御装置６８に供給する。便座開閉検出部６３は、便座８の閉状態を検出した場合には、便座８が閉状態であることを示す便座閉信号を制御装置６８に供給する。例えば、便座開閉検出部６３としては、ホールＩＣと磁石との組み合わせ、またはマイクロスイッチなどが用いられる。なお、便座開閉検出部６３は、便座８の開状態を検出した場合にのみ便座開信号を制御装置６８に供給してもよい。また、便座開閉検出部６３は、便座８が第二の角度以上で開状態と判定し、便座８が第二の角度未満で閉状態と判定してもよい。なお、第一の角度と第二の角度とは、同一であってもよいし、異なっていてもよい。
【００３４】
着座センサ６４は、利用者の便座８への着座を検知する。着座センサ６４は、利用者による便座８への着座を検知すると、着座検知信号を制御装置６８に出力する。
【００３５】
無線通信部６５は、通信装置と無線通信する。ここで、通信装置とは、携帯端末やリモコン等である。ここで、このリモコンは、例えば、トイレルームの壁面に設置され、シャワー洗浄や便器洗浄といった便座装置３のさまざまな機能を実行させる際に使用される。すなわち、リモコンには、便座装置３の各機能に対応するスイッチが複数設けられており、ユーザは、所望の機能に対応したスイッチを操作することで、便座装置３に対して所望の機能を実行させることができる。
【００３６】
便蓋開閉駆動装置６６は、制御装置６８から送信された便蓋駆動信号に基づいて便蓋９を回動させることで、便蓋９を開状態又は閉状態に制御する。
便座開閉駆動装置６７は、制御装置６８から送信された便座駆動信号に基づいて便座８を回動させることで、便座８を開状態又は閉状態に制御する。
【００３７】
制御装置６８は、荷重検出部５３が検出した荷重に基づいて、便座８に着座している利用者の体重を測定する。例えば、制御装置６８は、複数の荷重検出部５３が検出した荷重の合計に基づいて、便座８に着座している利用者の体重を測定する。
ただし、荷重検出部５３の出力特性は、温度や湿度などの外的環境の変化によって出力特性が変化する場合がある。具体的には、温度や湿度などの外的環境の変化によって、無荷重の状態における荷重検出部５３が検出する荷重の値が「０」以外になってしまう場合がある。したがって、制御装置６８は、荷重検出部５３の正確な荷重の値の検出を維持するために、所定の条件が成立した場合に、無荷重の状態における荷重検出部５３が検出する荷重の値を「０」に補正する、いわゆるゼロ点補正を行う。
【００３８】
ここで、所定の条件が成立した場合とは、人体検知部６１により人体の存在が検知された第一の条件、便蓋開閉検出部６２により便蓋９の開状態が検出された第二の条件、及び着座センサ６４により便座８への着座が無い状態が検出された第三の条件の少なくともいずれかの条件が成立した場合である。
【００３９】
ここで、所定の条件が成立する場合とは、利用者が着座する直前の状態である。具体的には、第一の条件の成立とは、利用者が便座８に着座するために、利用者がトイレルームに入室する場合が挙げられる。第二の条件の成立とは、利用者が便座８に着座するために、便蓋９を開状態にした場合が挙げられる。第三の条件の成立とは、利用者が便座８に着座する直前若しくは脱座直後であるため、着座センサ６４により便座８への着座が無い状態を検知した場合が挙げられる。
したがって、制御装置６８は、利用者が便座８に着座する直前に荷重検出部５３のゼロ点補正を行うことになる。換言すれば、制御装置６８は、利用者が便座８に着座する直前に荷重検出部５３のゼロ点を正確な値、すなわち「０」に補正する。これにより、制御装置６８は、外的環境が変化した場合でも、利用者の体重を正確に測定することができる。
【００４０】
なお、制御装置６８は、利用者が着座する直前の状態をより正確に検出する場合には、便座開閉検出部６３により便座８の閉状態が検出された第四の条件を更に追加してもよい。例えば、制御装置６８は、第二の条件、第三の条件及び第四の条件が成立する場合には、ゼロ点補正を実行する。これにより、制御装置６８は、利用者が着座する直前の状態をより正確に検出し、ゼロ点補正を実行することができる。
【００４１】
ここで、制御装置６８は、人体検知部６１から検知信号が出力された場合、便蓋開閉駆動装置６６に便蓋駆動信号を出力することで、便蓋９を開状態に制御する。また、制御装置６８は、着座センサ６４から着座検知信号が出力されなくなってから一定時間後、便蓋９が開状態である場合には、便蓋開閉駆動装置６６に便蓋駆動信号を出力することで、便蓋９を閉状態に制御する。したがって、制御装置６８は、利用者がトイレルームに入室するごとに、第二の条件、第三の条件及び第四の条件が成立する。すなわち、制御装置６８は、利用者がトイレルームに入室するごとに、ゼロ点補正を行う。
ただし、便蓋９を自動ではなく手動で開閉させる場合においては、利用者は、便蓋９を開状態にしたままトイレルームを退室してしまう場合がある。したがって、新たに利用者がトイレルームに入室しても、ゼロ点補正が行われない場合が考えられる。そこで、本実施形態に係る制御装置６８は、人体検知部６１により人体の存在が検知された場合において（第一の条件が成立した場合において）、第二の条件、第三の条件及び第四の条件が成立していれば、ゼロ点補正を行ってもよい。これにより、利用者が便蓋９を開状態にしたままトイレルームを退室した場合において、新たに利用者がトイレルームに入室した場合に、制御装置６８はこの利用者の入室に応じてゼロ点補正を行うことができる。
【００４２】
報知部６９は、制御装置６８によるゼロ点補正が実行されたことに応じて、所定の報知を行う。この報知は、音声でもよいし、表示でもよいし、音声及び表示の組み合わせでもよい。例えば、報知部６９は、制御装置６８がゼロ点補正を行っている場合に、ゼロ点補正が実行中である旨を上記通信装置で表示させることで報知してもよいし、トイレ装置１００に備えられたブザーを鳴らすことで報知してもよい。また、報知部６９は、ゼロ点補正が完了した場合に報知してもよい。
【００４３】
浄水タンク７は、便器１上において便座ボックス６よりも後方に固定されている。浄水タンク７は、便器１洗浄用の洗浄水を貯留している。
【００４４】
便座８は、平面視略Ｏ字状をなしている。便座８は、便座ボックス６に軸支されており、便器１に対して起立状態と倒伏状態との間で回動自在である。
【００４５】
平面視において、収容位置に配置された尿センサー３０（図５参照）、尿測定制御部５１（図５参照）及び荷重検出部５３（図５参照）は、便座８と重なって配置されている。また、平面視において、保存液タンク４１の蓋４２及び校正液タンク４６の蓋４２は、便座８の左右側方に配置されている。
【００４６】
便蓋９は、便座ボックス６に軸支されており、便器１に対して起立状態と倒伏状態との間で回動自在である。
【００４７】
以下に、本発明の一実施形態に係る制御装置６８におけるゼロ点補正を行う動作の一例の流れについて、説明する。図８は、本発明の一実施形態に係る制御装置６８におけるゼロ点補正を行う動作の流れを示す図である。また、図９は、本発明の一実施形態に係るゼロ点補正を行う場合のタイミングチャート図である。
【００４８】
制御装置６８は、便蓋９が開状態であるか否かを判定する（ステップＳ１０１）。例えば、制御装置６８は、便蓋開閉検出部６２から便蓋開信号を取得した場合には、便蓋９が開状態であると判定する（第二の条件の成立）。制御装置６８は、便蓋開閉検出部６２から便蓋開信号を取得しない場合には、便蓋９が閉状態であると判定し、ゼロ点補正を実行しない。
【００４９】
制御装置６８は、便蓋９が開状態であると判定した場合には、便座８が閉状態であるか否かを判定する（ステップＳ１０２）。例えば、制御装置６８は、便座開閉検出部６３から便座閉信号を取得した場合には、便座８が閉状態であると判定する（第四の条件の成立）。制御装置６８は、便座開閉検出部６３から便座閉信号を取得しない場合には、便座８が開状態であると判定し、ゼロ点補正を実行しない。
【００５０】
制御装置６８は、便座８が閉状態であると判定した場合には、利用者による便座８への着座の有無を判定する（ステップＳ１０３）。制御装置６８は、着座センサ６４から着座検知信号を取得しない場合には、利用者による便座８への着座が無いと判定する（第三の条件の成立）。一方、制御装置６８は、着座センサ６４から着座検知信号を取得した場合には、利用者による便座８への着座が有ると判定し、ゼロ点補正を実行しない。
【００５１】
制御装置６８は、利用者による便座８への着座が無いと判定した場合には、荷重検出部５３から出力される荷重の値を「０」に補正するゼロ点補正を実行する（ステップ１０４）。
【００５２】
上述したように、本実施形態に係るトイレ装置１００は、人体の存在を検知する人体検知部６１、若しくは便蓋の開閉状態を検出する便蓋開閉検出部６２、若しくは便座８に対する着座の有無を検知する着座センサ６４のいずれか一つ以上と、便座８と便器１との間にかかる荷重を検出する荷重検出部５３と、荷重検出部５３が検出した荷重に基づいて体重を測定する制御装置６８と、を備える。そして、制御装置６８は、人体検知部６１により人体の存在が検知された第一の条件、便蓋開閉検出部６２により便蓋９の開状態が検出された第二の条件、及び着座センサ６４により便座８への着座が無い状態が検出された第三の条件の少なくともいずれかの条件が成立する場合には、荷重検出部５３により検出される荷重に対してゼロ点補正を実行する。これにより、スイッチ等を用いずに、便座８の使用の直前に荷重検出部５３のゼロ点を補正することが可能となる。したがって、外的環境が変化した場合でも、利用者の体重を正確に測定することができる。
【００５３】
また、上述のトイレ装置１００は、便蓋開閉検出部６２及び着座センサ６４の他に便座８の開閉状態を検出する便座開閉検出部６３を備えてもよい。そして、制御装置６８は、便座開閉検出部６３により便座８の閉状態が検出された第四の条件、第二の条件及び第三の条件が成立する場合には、ゼロ点補正を実行してもよい。
【００５４】
また、制御装置６８は、上述したように、第一の条件が成立した後に、第二の条件、第三の条件及び記第四の条件が成立すれば、ゼロ点補正を実行してもよい。
【００５５】
なお、上述の実施形態において、測定装置２は、利用者が排尿すると、尿糖測定用センサー３０Ａ及び尿塩分測定用センサー３０Ｂの電極がそれぞれ電気分解し、その電気分解の結果に基づいて、尿糖及び尿塩分を演算する。
【００５６】
また、トイレ装置１００は、測定した体重を表示する第一の表示装置を備えてもよい。また、トイレ装置１００は、尿測定制御部５１により演算された尿糖及び尿塩分や、体脂肪測定体５５により測定された体脂肪を表示する第二の表示装置を備えてもよい。なお、第一の表示装置と第二の表示装置とは、同一であってもよいし、異なっていてもよい。
【００５７】
なお、上述の実施形態において、トイレ装置１００は、測定装置２を備える構成であるが、利用者の尿糖及び尿塩分を測定する必要がなければ、測定装置２を含めない構成としてもよい。すなわち、測定装置２は、必ずしもトイレ装置１００の必須な構成ではない。
【００５８】
また、上述の実施形態において、制御装置６８ではなく尿測定制御部５１が、荷重検出部５３が検出した荷重に基づいて体重を測定してもよい。また、制御装置６８ではなく尿測定制御部５１が上述の所定の条件が成立する場合に、荷重検出部５３により検出される荷重に対してゼロ点補正を実行する機能を有してもよい。すなわち、尿測定制御部５１は、制御装置６８におけるゼロ点補正の機能をしてもよい。
【００５９】
また、上述した実施形態における制御装置６８をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６０】
以上、この発明の実施形態について図面を参照して詳述してきたが、具体的な構成はこの実施形態に限られるものではなく、この発明の要旨を逸脱しない範囲の設計等も含まれる。
【符号の説明】
【００６１】
１  便器
２  測定装置
３  便座装置
６  便座ボックス
８  便座
９  便蓋
５３  荷重検出部
６１  人体検知部
６２  便蓋開閉検出部
６３  便座開閉検出部
６４  着座センサ
６８  制御装置
６９  報知部
１００  トイレ装置
【図１】
2018111918.tif 000003
【図２】
2018111918.tif 000004
【図３】
2018111918.tif 000005
【図４】
2018111918.tif 000006
【図５】
2018111918.tif 000007
【図６】
2018111918.tif 000008
【図７】
2018111918.tif 000009
【図８】
2018111918.tif 000010
【図９】
2018111918.tif 000011